(57)【要約】【課題】容器に収容された吸収性物品を容易に取り出すことができ、開口部からの汚染に対しても、吸収性物品の全体の汚染を回避できる容器入り吸収性物品を提供すること。【解決手段】偏平な矩形状に折り畳まれた複数個の吸収性物品を重ね合わせた吸収性物品の配列を、複数列並列させた状態で包装した容器入り吸収性物品であって、並列する、複数列の吸収性物品の配列の境界部の少なくとも一部が当接する部位に、容器の易破断部が、容器の４面に亘って環状に設けられており、易破断部は、吸収性物品の配列の数よりも１少ない数設けられており、易破断部で容器が分割されたとき、分割された容器が、少なくとも１列の吸収性物品の配列を収容可能である、容器入り吸収性物品。【選択図】図１
2017149435.tif 000002
【特許請求の範囲】
【請求項１】
偏平な矩形状に折り畳まれた複数個の吸収性物品を重ね合わせた吸収性物品の配列を、複数列並列させた状態で包装した容器入り吸収性物品であって、
並列する、複数列の吸収性物品の配列の境界部の少なくとも一部が当接する部位に、容器の易破断部が、容器の４面に亘って環状に設けられており、
易破断部は、吸収性物品の配列の数よりも１少ない数設けられており、
前記易破断部で容器が分割されたとき、分割された容器が、少なくとも１列の吸収性物品の配列を収容可能である、容器入り吸収性物品。
【請求項２】
容器の辺と交差する部位の易破断部の破断強度を、容器の面上の易破断部の破断強度よりも強い強度とする、請求項１に記載の容器入り吸収性物品。
【請求項３】
容器の易破断部が、複数列の吸収性物品の配列の境界部に平行に形成されているか、複数列の吸収性物品の配列の境界部から一定の角度を持って傾いて形成されている、請求項１又は２に記載の容器入り吸収性物品。
【請求項４】
吸収性物品の配列において、吸収性物品が圧縮された状態で重ね合わせられており、吸収性物品の圧縮される方向と易破断部の延在する方向とが、略平行である、請求項１から３のいずれかに記載の容器入り吸収性物品。
【請求項５】
容器の易破断部と交差する部位に略円形、略半円形、又は多角形の易破断部により形成される指掛け孔形成部を設ける、請求項１から４のいずれかに記載の容器入り吸収性物品。
【請求項６】
容器が軟質プラスチック又は厚紙により形成されている請求項１から５のいずれかに記載の容器入り吸収性物品。
【発明の詳細な説明】
【技術分野】
【０００１】
本発明は、取り出しの容易な容器入り吸収性物品に関する。
【背景技術】
【０００２】
紙おむつ、軽失禁パッド、生理用ナプキン、ペットシート等の吸収性物品は、複数個を重ね合わせて圧縮され、主に軟質プラスチック等からなる容器に収納されている。このような容器には、開封手段が設けられる必要があるが、この開封手段は、製品の大きさや形状、想定される製品の保管状況等に応じて、様々な態様が採用されている。
【０００３】
例えば、特許文献１には、偏平な矩形状に折り畳まれた複数個の吸収性物品を重ね合わせ状態で配列して吸収性物品の配列を構成し、この吸収性物品の配列を上下方向に複数列積み重ねた配置で容器に収納して封止し、上記容器に、収納状態の各列の、吸収性物品の配列の各々の、高さ方向の中間位置に対向する各周面箇所に、環状の易破断部をそれぞれ形成していることを特徴とする吸収性物品用の容器が開示されている。また、特許文献２には、可撓性包装であって、上部表面及び底部表面の各々が直接的又は間接的に少なくとも１つの側部壁に接合され、複数の物品を収容することが可能な内部容積を形成しており、上部表面上に少なくとも１つの易破断部を含む開口部が配置され、開口部と上部表面の縁部との間には上部表面の一部が存在するように開口部が形成されている可撓性包装が開示されている。
【先行技術文献】
【特許文献】
【０００４】
【特許文献１】特開２００３−２９２０４３号公報
【特許文献２】特表２００８−５２２９１８号公報
【発明の概要】
【発明が解決しようとする課題】
【０００５】
しかしながら、吸収性物品を収容する容器には、例えば、２０個以上の吸収性物品が、複数の吸収性物品の配列に分けて収容される。このため、単に、容器に開口部を設け、その開口部のみから吸収性物品を取り出し可能にした場合には、下方の吸収性物品の配列に含まれる吸収性物品の取り出しを容易になしえない可能性がある。また、吸収性物品を収容する容器１つに対して、１つの開口部を設ける場合、万一、当該開口部から容器内部の汚染が発生した場合には、収容されている吸収性物品全てが汚染されてしまうおそれがある。したがって、本発明は以上の課題に鑑みてなされたものであり、容器に収容された吸収性物品を容易に取り出すことができ、開口部からの汚染に対しても、吸収性物品の全体の汚染を回避できる容器入り吸収性物品を提供することを目的とする。
【課題を解決するための手段】
【０００６】
本発明の発明者らは、上記課題に鑑み、鋭意研究を行った。その結果、複数個の吸収性物品を重ね合わせた吸収性物品の配列を、複数列並列させた状態で包装した容器入り吸収性物品において、容器の易破断部を容器の４面に亘って環状に設け、この易破断部で容器が分割されたとき、分割された容器が、少なくとも１列の吸収性物品の配列を収容可能な容器入り吸収性物品によれば、上記課題を解決できることを見出し、本発明を完成するに至った。具体的には、本発明は以下のものを提供する。
【０００７】
（１）本発明の第１の態様は、偏平な矩形状に折り畳まれた複数個の吸収性物品を重ね合わせた吸収性物品の配列を、複数列並列させた状態で包装した容器入り吸収性物品であって、並列する、複数列の吸収性物品の配列の境界部の少なくとも一部が当接する部位に、容器の易破断部が、容器の４面に亘って環状に設けられており、易破断部は、吸収性物品の配列の数よりも１少ない数設けられており、前記易破断部で容器が分割されたとき、分割された容器が、少なくとも１列の吸収性物品の配列を収容可能である、容器入り吸収性物品である。
【０００８】
（２）本発明の第２の態様は、（１）に記載の容器入り吸収性物品であって、容器の辺と交差する部位の易破断部の破断強度を、容器の面上の易破断部の破断強度よりも強い強度とすることを特徴とするものである。
【０００９】
（３）本発明の第３の態様は、（１）又は（２）に記載の容器入り吸収性物品であって、容器の易破断部が、複数列の吸収性物品の配列の境界部に平行に形成されているか、複数列の吸収性物品の配列の境界部から一定の角度を持って傾いて形成されていることを特徴とするものである。
【００１０】
（４）本発明の第４の態様は、（１）から（３）のいずれかに記載の容器入り吸収性物品であって、吸収性物品の配列において、吸収性物品が圧縮された状態で重ね合わせられており、吸収性物品の圧縮される方向と易破断部の延在する方向とが、略平行であることを特徴とするものである。
【００１１】
（５）本発明の第５の態様は、（１）から（４）のいずれかに記載の容器入り吸収性物品であって、容器の易破断部と交差する部位に略円形、略半円形、又は多角形の易破断部により形成される指掛け孔形成部を設けることを特徴とするものである。
【００１２】
（６）本発明の第６の態様は、（１）から（５）のいずれかに記載の容器入り吸収性物品であって、容器が軟質プラスチック又は厚紙により形成されていることを特徴とするものである。
【発明の効果】
【００１３】
本発明の容器入り吸収性物品は、複数列の吸収性物品の配列の境界部の少なくとも一部が当接する部位に、容器の易破断部が、容器の４面に亘って環状に設けられ、この易破断部で容器が分割されたとき、分割された容器が、少なくとも１列の吸収性物品の配列を収容可能なものである。このため、吸収性物品の使用時において、分割された容器に１列の吸収性物品の配列を収容させることにより、分割された容器から個々の吸収性物品を容易に取り出すことが可能となる。また、吸収性物品の配列を分割された容器に別々に収容するので、容器の開口部から容器内部が汚染された場合においても、全ての吸収性物品が汚染されることを防止できる。
【図面の簡単な説明】
【００１４】
【図１】本発明の容器入り吸収性物品の全体像を示す図面である。
【図２】本発明の容器入り吸収性物品において、分割された容器に吸収性物品が収容される態様を示す図面である。
【発明を実施するための形態】
【００１５】
以下、本発明について図面を参照して詳細に説明する。
【００１６】
＜容器入り吸収性物品＞
図１は本発明の容器入り吸収性物品１の全体像を示す図面である。本発明の容器入り吸収性物品１は、吸収性物品３と、吸収性物品３を収容する容器２よりなる。容器入り吸収性物品１は、複数個の吸収性物品３を重ね合わせた吸収性物品３の配列を、複数列並列させた状態で包装したものである。容器２に収容される吸収性物品３の配列は、２列以上４列以下であることが好ましく、２列又は３列であることがより好ましい。
【００１７】
［容器］
図２は本発明の容器入り吸収性物品１において、分割された容器２１に吸収性物品３が収容される態様を示す図面である。吸収性物品３を収容する容器２には、並列する複数列の吸収性物品３の配列の境界部３４の少なくとも一部が当接する部位に、容器２の易破断部２２が、容器２の４面に亘って環状に設けられている。易破断部２２は、容器２に収容された吸収性物品３の配列の数よりも１少ない数設けられており、これにより、少なくとも１の易破断部２２で容器２が分割されたとき、分割された容器２１が、少なくとも１列の吸収性物品３の配列を収容可能なものとなっている。
【００１８】
易破断部２２は、複数列の吸収性物品３の配列の境界部３４に平行に形成されていてもよいし、複数列の吸収性物品３の配列の境界部３４から一定の角度を持って傾いて形成されていてもよい。ここで、易破断部２２が、複数列の吸収性物品３の配列の境界部３４に平行に形成されている場合には、易破断部２２と、吸収性物品３の配列の境界部３４とが重畳して形成されることとなり、容器２を分割し、開口部３３を上方に向けて置いた際に、分割された容器２１の上端部と、吸収性物品３の配列の上端部とが、同じ位置に保持されることとなる（図２（ａ））。このため、分割された容器２１が吸収性物品３の配列を安定して保持することが可能となり、吸収性物品３の外部からの汚染も有効に防止できる。また、易破断部２２が、複数列の吸収性物品３の配列の境界部３４から一定の角度を持って傾いて形成される場合には、容器２を分割し、開口部３３を上方に向けて置いた際に、吸収性物品３の配列の上端部に対して分割された容器２１の上端部が斜めに形成されることになる（図２（ｂ））。ここで、特に、易破断部２２と、複数列の吸収性物品３の配列の境界部３４が、吸収性物品３の配列の中央部付近で当接する場合、吸収性物品３の配列の前端部３１付近では、分割された容器２１の開口部３３に対する側面において、吸収性物品３の一部が露出することとなり、この露出した吸収性物品３を把持することによって、容易に吸収性物品３を取り出すことができる。一方、吸収性物品３の配列の後端部３２付近では、分割された容器２１の開口部３３に対する側面においても、吸収性物品３が全て容器２に覆われ、吸収性物品３を安定して容器２に収容しておくことができるようになる。易破断部２２が複数列の吸収性物品３の配列の境界部３４から一定の角度を持って傾いて形成される場合には、当該角度は、１度以上３０度以下であることが好ましく、１度以上１０度以下であることがより好ましい。
【００１９】
なお、易破断部２２は、複数列の吸収性物品３の配列の境界部３４に平行に形成され、分割された容器２１の上端部と吸収性物品３の配列の上端部とが同じ位置に保持されることがより好ましい。
【００２０】
容器入り吸収性物品１に用いられる容器２は、可撓性の材料から形成されていることが好ましく、例えば、軟質プラスチックや厚紙により形成されていることが好ましい。これらの中でも、特に、軟質プラスチックから容器２を構成することが好ましい。容器２に用いることができる可撓性材料としては、従来公知のものを用いることができ、より具体的には、ポリエチレン、ポリプロピレン、ポリエステル、ナイロン、及びアルミからなるもの、上記のプラスチック材料にアルミやガラスを蒸着したもの、並びにこれらの任意の組み合わせを挙げることができる。
【００２１】
（易破断部）
上述のとおり、本発明の容器入り吸収性物品１の容器２には、易破断部２２が設けられており、家庭、病院、介護施設等で吸収性物品３が使用される際に、この易破断部２２において容器２を構成する材料を破断することにより、容器２が分割されて、吸収性物品３の配列を収容可能な分割された容器２１を生成する。この分割された容器２１は、吸収性物品３を一時的に保管するための容器となり、吸収性物品３を半開放状態で保持して、保管中の吸収性物品３の汚染や破損等を効果的に防止することができる。しかしながら、この分割された容器２１は、吸収性物品３を密閉された状態で保持するものではないため、容器入り吸収性物品１を店舗に陳列する際や、容器入り吸収性物品１を輸送・運搬する際には、易破断部２２が破断することを回避する必要がある。
【００２２】
よって、容器２の易破断部２２は、容器入り吸収性物品１を店舗に陳列し、容器入り吸収性物品１を輸送・運搬する際に、容易に破断しないよう、容器２上の易破断部２２の形成位置に応じて易破断部２２の破断強度を変化させることが好ましい。具体的には、容器入り吸収性物品１を取り扱う際に、取扱者の手が接触する容器２の部位の易破断部２２は、容器２の他の部位の易破断部２２に比べて、破断強度が強くなっていることが好ましく、例えば、容器２の辺と交差する部位の易破断部２２の破断強度を、容器２の面上の易破断部２２の破断強度よりも強い強度とすることがより好ましい。
【００２３】
より具体的には、容器２の辺と交差する部位の易破断部２２は、易破断部２２を構成する切れ込みの長さと、二つの隣接する切れ込みの間隔との比が、３：２から１：４であることが好ましく、１：１から２：３であることがより好ましい。一方、容器２の面上の易破断部２２は、易破断部２２を構成する切れ込みの長さと、二つの隣接する切れ込みの間隔との比が、４：１から１：１であることが好ましく、３：１から３：２であることがより好ましい。
【００２４】
ここで、易破断部２２は、例えば、容器２を軟質プラスチックから構成する場合、軟質プラスチックに形成される非連続の切れ込み（ミシン目）から構成されてもよく、容器２を厚紙から構成する場合には、２本の平行な非連続の切れ込みであって、この２本の切れ込みに挟まれる部位を帯状に除去可能なジッパー構造から形成してもよい。
【００２５】
（指掛け孔形成部）
本発明においては、容器２の易破断部２２と交差する部位に、略円形、略半円形、又は多角形の易破断部２２により形成される指掛け孔形成部２３を設けてもよい。この場合、易破断部２２において容器２を分割する際に、まず、指掛け孔形成部２３を容器２から分離し、この指掛け孔形成部２３から形成される指掛け孔に指を掛けて容器２の易破断部２２の全体を破断すればよい。このようにすることにより、容器２の分割が容易となるとともに、分割された容器２１においても、指掛け孔に相当する部位に露出した吸収性物品３の端部を掴むことにより、吸収性物品３をより容易に取り出すことができるようになる。また、指掛け孔形成部２３を設けた場合、上記の説明とは逆に、まず全体を分割し、全体を分割した後に指掛け孔形成部２３を分離してもよい。
【００２６】
［吸収性物品］
本発明の容器入り吸収性物品１は、偏平な矩形状に折り畳まれた複数個の吸収性物品３を重ね合わせた吸収性物品３の配列を、複数列並列させた状態で包装したものである。容器２に収容する吸収性物品３としては、特に限定されるものではなく、パンツ型紙おむつ、テープ止めタイプ紙おむつ、軽失禁パッド、尿取りパッド、生理用ナプキン、及びペットシート等を挙げることができる。これらの吸収性物品３は、上述のとおり偏平な矩形状に折り畳まれた後、圧縮された状態で重ね合わせられており、容器２に収容された状態で、吸収性物品３が圧縮される方向と、上述の易破断部２２が延在する方向とが、略平行となって、吸収性物品３の圧縮により生じる反発力によって、易破断部２２が容易に破断しないようになっている。
【００２７】
容器入り吸収性物品１において、容器に収容する吸収性物品３の個数は、例えば、５個以上３５個以下であることが好ましく、吸収性物品３の配列も、２列以上４列以下であることが好ましく、２列又は３列であることがより好ましい。
【００２８】
本発明の容器入り吸収性物品１は、容器２を、少なくとも１列の吸収性物品３の配列を収容可能に分割することができるので、分割された容器２１から個々の吸収性物品３を容易に取り出すことが可能となる。また、吸収性物品３の配列を分割された容器２１に別々に収容するので、容器の開口部３３から容器内部が汚染された場合においても、全ての吸収性物品３が汚染されることを防止できる。さらに、本発明においては、分割された容器２１が内包装容器としての機能を果たし、吸収性物品３を見やすい状態で整列させて保管することができるとともに、吸収性物品３の使用量や残量も一目で判別することができる。
【符号の説明】
【００２９】
１    容器入り吸収性物品
２    容器
２１  分割された容器
２２  易破断部
２３  指掛け孔形成部
３    吸収性物品
３１  前端部
３２  後端部
３３  開口部
３４  境界部
【図１】
2017149435.tif 000003
【図２】
2017149435.tif 000004